(57)【特許請求の範囲】
【請求項１】
内部に水を貯留する給水タンク本体と、
上記給水タンク本体に一体に設けられ、水が内部を通過する筒状の接続口と、
上記接続口の外周面に取り付けられたシール部材と
を備え、
上記シール部材は、
筒状の基部と、
上記基部の外周面に設けられた外側リップと、
上記基部の内周面に設けられていると共に、径方向側よりも軸方向側が長い略長方形状の断面を有するランド部と、
上記基部の内周面に設けられ、上記ランド部の内径よりも小径な内径を有する内側リップと、
上記基部の内周面に設けられ、上記ランド部と上記内側リップとの間に位置する環状溝と
を有し、
上記ランド部は径方向において上記外側リップと対向することを特徴とする給水タンク。
【請求項２】
請求項１に記載の給水タンクにおいて、
上記内側リップと上記環状溝との対は、上記ランド部の軸方向の両側の夫々に位置していることを特徴とする給水タンク。
【請求項３】
ケーシングと、
上記ケーシング内に配置され、被加熱物を収容する加熱庫と、
上記ケーシングに着脱可能な請求項１または２に記載の給水タンクと、
上記給水タンク内の水が上記接続口を介して供給されて、上記水を用いて水蒸気を発生させる水蒸気発生装置と
を備えたことを特徴とする加熱調理器。
【発明の詳細な説明】
【技術分野】
【０００１】
本発明は、給水タンクおよびそれを備えた加熱調理器に関する。
【背景技術】
【０００２】
従来、加熱調理器としては、ケーシングと、このケーシングに着脱可能な給水タンクとを備え、給水タンクから供給される水を被加熱物の加熱に利用するものがある。
【０００３】
上記ケーシング内には、給水タンクからの水を受け入れる受け入れ口を設けている。また、上記給水タンクは、内部に水を貯留する給水タンク本体と、この給水タンク本体の外面から外方に突出した筒状の接続口と、この接続口を開閉する開閉弁とを有する。
【０００４】
上記従来の加熱調理器において、給水タンクをケーシングに取り付けると、給水タンクの接続口がケーシング内の筒部内に挿入され、上記開閉弁が開放する。これにより、上記給水タンク本体内の水が接続口内を通過してケーシングの筒部内に流れ出る。このため、上記接続口の外周面にシール部材を取り付けて、接続口の外周面と筒部の内周面との間から水が漏れ出るのを防ぐ必要がある。
【０００５】
上記シール部材としては、特開２００５−３１１０号公報(特許文献１)に開示されているＯリングがある。
【先行技術文献】
【特許文献】
【０００６】
【特許文献１】特開２００５−３１１０号公報
【発明の概要】
【発明が解決しようとする課題】
【０００７】
ところで、上記給水タンク本体に接続口を一体に設ける場合、割型を使用して、給水タンク本体および接続口を成形する。そうすると、上記接続口の外周面にバリや段ができてしまう。したがって、上記接続口の外周面にＯリングを取り付けても、Ｏリングの内周面と接続口の外周面との間に隙間が生じる。その結果、上記隙間による水漏れの問題が生じてしまう。
【０００８】
そこで、本発明の課題は、接続口の外周面にバリや段があっても、シール部材の内周面と接続口の外周面との間から水が漏れ出るのを防ぐことができる給水タンクを提供することにある。
【課題を解決するための手段】
【０００９】
上記課題を解決するため、本発明の給水タンクは、
内部に水を貯留する給水タンク本体と、
上記給水タンク本体に一体に設けられ、水が内部を通過する筒状の接続口と、
上記接続口の外周面に取り付けられたシール部材と
を備え、
上記シール部材は、
筒状の基部と、
上記基部の外周面に設けられた外側リップと、
上記基部の内周面に設けられていると共に、径方向側よりも軸方向側が長い略長方形状の断面を有するランド部と、
上記基部の内周面に設けられ、上記ランド部の内径よりも小径な内径を有する内側リップと、
上記基部の内周面に設けられ、上記ランド部と上記内側リップとの間に位置する環状溝と
を有し、
上記ランド部は径方向において上記外側リップと対向することを特徴としている。
【００１０】
上記構成によれば、上記接続口を筒部内に挿入した場合、基部の外周面に外側リップを設けているので、外側リップを筒部の内周面の全周にわたって密接させることができる。したがって、上記シール部材の外周面と筒部の内周面との間から水が漏れ出るのを防ぐことができる。
【００１１】
また、上記接続口を筒部内に挿入した場合、基部の内周面にはランド部を設けているので、比較的剛性のあるランド部で、接続口の外周面に対するシール部材の位置を定めることができる。また、上記基部の内周面には、ランド部の内径よりも小径な内径を有する内側リップと、ランド部と内側リップとの間に位置する環状溝とを設けているので、内側リップの可撓性を高くすることができる。したがって、上記接続口の外周面にバリや段があっても、内側リップを接続口の外周面の全周にわたって密接させることができる。その結果、上記シール部材の内周面と接続口の外周面との間から水が漏れ出るのを防ぐことができる。
【００１２】
一実施形態の給水タンクでは、
上記内側リップと上記環状溝との対は、上記ランド部の軸方向の両側の夫々に位置している。
【００１３】
上記実施形態によれば、上記内側リップと環状溝との対は、ランド部の軸方向の両側の夫々に位置しているので、シール部材の内周面と接続口の外周面との間から水が漏れ出るのを防ぐ効果を高めることができる。
【００１４】
本発明の加熱調理器は、
ケーシングと、
上記ケーシング内に配置され、被加熱物を収容する加熱庫と、
上記ケーシングに着脱可能な本発明の給水タンクと、
上記給水タンク内の水が上記接続口を介して供給されて、上記水を用いて水蒸気を発生させる水蒸気発生装置と
を備えたことを特徴としている。
【００１５】
上記構成によれば、上記給水タンクを備えているので、ケーシング内での水漏れによる故障を防ぐことができる。
【発明の効果】
【００１６】
本発明の給水タンクによれば、内部に水を貯留する給水タンク本体と、この給水タンク本体に一体に設けられ、水が内部を通過する筒状の接続口と、この接続口の外周面に取り付けられたシール部材とを備え、シール部材は、筒状の基部と、この基部の外周面に設けられた外側リップとを有していることによって、接続口を筒部内に挿入したとき、基部の外周面に外側リップを設けているので、外側リップを筒部の内周面の全周にわたって密接させることができる。したがって、上記シール部材の外周面と筒部の内周面との間から水が漏れ出るのを防ぐことができる。
【００１７】
また、上記接続口を筒部内に挿入したとき、基部の内周面には、ランド部と、ランド部の内径よりも小径な内径を有する内側リップと、ランド部と内側リップとの間に位置する環状溝とを設けているので、接続口の外周面に対するシール部材の位置を、比較的剛性のあるランド部で定めることができると共に、内側リップの可撓性を高くすることができる。したがって、上記接続口の外周面にバリや段があっても、内側リップを接続口の外周面の全周にわたって密接させることができる。その結果、上記シール部材の内周面と接続口の外周面との間から水が漏れ出るのを防ぐことができる。
【００１８】
本発明の加熱調理器によれば、上記給水タンクを備えているので、ケーシング内での水漏れによる故障を防ぐことができる。
【図面の簡単な説明】
【００１９】
【図１】図１は本発明の一実施形態の加熱調理器の模式斜視図である。
【図２】図２は上記加熱調理器の模式断面図である。
【図３】図３は本発明の一実施形態の給水タンクの模式斜視図である。
【図４】図４は上記給水タンクおよび筒部の概略断面図である。
【図５】図５は上記給水タンクの接続口用パッキンの概略正面図である。
【図６】図６は図５のVI−VI線矢視の概略断面図である。
【図７】図７は図６の一部の拡大図である。
【図８】図８は上記給水タンクの模式断面図である。
【発明を実施するための形態】
【００２０】
以下、本発明の給水タンクおよび加熱調理器を図示の実施形態により詳細に説明する。
【００２１】
図１は、本発明の一実施形態の加熱調理器の前面を斜め上方から見た模式斜視図である。
【００２２】
上記加熱調理器は、直方体形状のケーシング１０１と、ケーシング１０１内に設けられた加熱庫１０２(図２参照)と、ケーシング１０１の前側に回動自在に取り付けられた開閉扉１０３と、ケーシング１０１に着脱可能に取り付けられた給水タンク１０４とを備えている。
【００２３】
上記ケーシング１０１の前面の右側には操作パネル１０５を設けている。この操作パネル１０５は、液晶表示部１０６、ダイヤル１０７および複数のボタン１０８を有している。また、ダイヤル１０７の下側では給水タンク１０４の前面が露出している。
【００２４】
上記開閉扉１０３は、下端部を中心に回動し、加熱庫１０２の開口部１０２ａを開閉する。この開閉扉１０３の上部にはハンドル１１０が取り付けられている。また、開閉扉１０３の略中央部には耐熱ガラス１１１を配置している。
【００２５】
図２は上記加熱調理器の模式断面図である。
【００２６】
上記ケーシング１０１内かつ加熱庫１０２外には、水センサ１１２および給水ポンプ１１３を設置している。給水ポンプ１１３は、給水タンク１０４内の水を水センサ１１２を介して吸い込み、その水を給水管１１４を介して水蒸気発生装置１１５に送る。水蒸気発生装置１１５は、給水ポンプ１１３からの水をヒータ加熱して水蒸気にして加熱庫１０２内に供給したり、その水蒸気をさらにヒータ加熱して過熱水蒸気にして加熱庫１０２内に供給したりする。ここで、上記過熱水蒸気とは、１００℃を越える温度になった水蒸気のことである。なお、ケーシング１０１内かつ加熱庫１０２外には、加熱庫１０２内に放射すべきマイクロ波を発生するマグネトロン(図示せず)も設置している。
【００２７】
上記加熱庫１０２は被加熱物２０１をトレイ１１６と共に収容可能であり、加熱庫１０２の内壁面に設けられた受け部(図示せず)がトレイ１１６を支持する。トレイ１１６上の被加熱物２０１は、水蒸気発生装置１１５からの水蒸気や過熱水蒸気で加熱したり、上ヒータ１１７や下ヒータ１１８の輻射熱で加熱したりする。また、上ヒータ１１７下には加熱庫１０２の天壁があり、下ヒータ１１８上には加熱庫１０２の底壁があって、上ヒータ１１７および下ヒータ１１８は加熱庫１０２内に露出していない。
【００２８】
図３は、上記給水タンク１０４の前面および右側面を斜め上方から見た模式斜視図である。
【００２９】
上記給水タンク１０４は、内部に水を貯留する樹脂製の給水タンク本体１１９と、給水タンク本体１１９の前側の端部に取り付けられた樹脂製の化粧板１２０とを備えている。
【００３０】
上記給水タンク本体１１９の上端は開口しており、この開口を着脱可能な樹脂製の蓋１２１で塞いでいる。また、給水タンク本体１１９の後面の下部からは後方に向かって筒状の接続口１２２が突出している。この接続口１２２は給水タンク本体１１９と一体樹脂成形されたものであり、給水タンク本体１１９内の水が接続口１２２内の空間を通って流出できるようになっている。また、接続口１２２の外周面には環状溝１２３を設け、この環状溝１２３に環状の接続口用パッキン１２４を嵌め込んでいる。この接続口用パッキン１２４は例えば弾性材料で形成されている。なお、接続口用パッキン１２４はシール部材の一例である。
【００３１】
また、上記給水タンク本体１１９と接続口１２２の一体樹脂成形を行うとき、接続口１２２の外周面に環状溝１２３を設けるため、割型で接続口１２２を成形している。このため、接続口１２２の外周面にはバリや段が形成され易い。
【００３２】
上記蓋１２１の天面には、複数のスリット１２６を底部に有する注水用凹部１２５を設けている。これにより、給水タンク本体１１９の上端部に蓋１２１を取り付けた状態のまま、スリット１２６から給水タンク本体１１９内に水を注ぐことができるようになっている。
【００３３】
図４は、上記ケーシング１０１に取り付けた給水タンク１０４の概略断面図である。
【００３４】
上記給水タンク本体１１９の後部側(化粧板１２０側とは反対側)の下部には、貫通孔１２７を設けると共に、貫通孔１２７を開閉する開閉弁１２８を取り付けている。この開閉弁１２８は弁体１２９および開閉弁用パッキン１３０を有し、コイルスプリング１３１によって給水タンク本体１１９の後方へ付勢されている。また、弁体１２９は、給水タンク本体１１９内に位置する円板状の頭部と、一端が上記頭部に連なる軸部とを有している。この軸部の先端部(図中右側の端部)の径は上記軸部の他の部分の径よりも大きくしている。また、上記軸部の他の部分は、貫通孔１２７の径よりも小さい径を有し、貫通孔１２７に挿通されている。
【００３５】
また、上記貫通孔１２７の周縁部に連なる接続口１２２の外径は、最も大きくなるところでも、水位センサ１１２(図２参照)の一部である筒部１３２の内径よりも小さくしている。
【００３６】
図５は、上記接続口用パッキン１２４を前から見た概略正面図である。また、図６は、図５のVI−VI線から見た概略断面図である。
【００３７】
上記接続口用パッキン１２４は、図５，図６に示すように、筒状の基部１３３と、この基部１３３の外周面の軸方向の中央部に設けられて径方向外側に突出する断面略台形状の外側リップ１３４とを有している。また、接続口用パッキン１２４の内周面には、断面略台形状のランド部１３５と、断面略三角形状の第１内側リップ１３６と、断面略三角形状の第２内側リップ１３７と、第１環状溝１３８と、第２環状溝１３９とを設けている。この外側リップ１３４は、水位センサ１１２の一部である筒部１３２(図４参照)の内径よりも大径な外径を有している。また、ランド部１３５は、環状溝１２３(図４参照)の底面の径より小径な内径を有して、第１内側リップ１３６および第２内側リップ１３７に比べて剛性がある。そして、第１内側リップ１３６および第２内側リップ１３７は、夫々、ランド部１３５の内径よりも小径な内径を有している。また、第１環状溝１３８はランド部１３５と第１内側リップ１３６との間に位置する一方、第２環状溝１３９はランド部１３５と第２内側リップ１３７との間に位置している。
【００３８】
図７は図６の一部の拡大図である。
【００３９】
上記ランド部１３５と第１環状溝１３８との間の段差Ｄ１は０．２ｍｍ〜０．３ｍｍの範囲内に設定している。また、第１内側リップ１３６は、ランド部１３５よりも径方向内側に０．２ｍｍ〜０．３ｍｍ突出するようにしている。すなわち、上記ランド部１３５に対する第１内側リップ１３６の突出長さＬ１は０．２ｍｍ〜０．３ｍｍの範囲内に設定している。
【００４０】
また、上記ランド部１３５と第２環状溝１３９との間の段差Ｄ２も０．２ｍｍ〜０．３ｍｍの範囲内に設定している。また、第２内側リップ１３７も、ランド部１３５よりも径方向内側に０．２ｍｍ〜０．３ｍｍ突出するようにしている。すなわち、上記ランド部１３５に対する第２内側リップ１３７の突出長さＬ２も０．２ｍｍ〜０．３ｍｍの範囲内に設定している。
【００４１】
図８は、上記接続口１２２に装着した接続口用パッキン１２４の模式断面図である。
【００４２】
上記接続口１２２に接続口用パッキン１２４を装着する場合、図５〜図７に示す接続口用パッキン１２４を径方向外側に引き延ばし、接続口用パッキン１２４の内径を広げて、図４に示す環状溝１２３に環状の接続口用パッキン１２４を嵌め込む。そうすると、図８に示すように、第１，第２内側リップ１３６，１３７がランド部１３５側に撓む。このとき、第１，第２内側リップ１３６，１３７の先端が環状溝１２３の環状溝１２３の底面に線接触するときに比べて、環状溝１２３の環状溝１２３の底面に対する第１，第２内側リップ１３６，１３７の接触面積は大きくなる。
【００４３】
上記構成の加熱調理器によれば、ケーシング１０１に給水タンク１０４を取り付けると、給水タンク１０４の接続口１２２が、水位センサ１１２の一部である筒部１３２内に入る。これにより、筒部１３２内の突起(図示せず)が弁体１２９の軸部の先端部に当たり、開閉弁１２８に対して給水タンク本体１１９が水位センサ１１２側に移動する。その結果、開閉弁用パッキン１３０と貫通孔１２７の周縁部との間に隙間が生じて、給水タンク本体１１９内の水が、上記隙間、貫通孔１２７および接続口１２２内の空間を通って筒部１３２内に流れ出る。
【００４４】
また、上記給水タンク１０４の接続口１２２が筒部１３２内に入ることにより、外側リップ１３４が、水位センサ１１２の筒部１３２の内周面の全周にわたって密接する。したがって、接続口用パッキン１２４の外周面と筒部１３２の内周面との間から水が漏れ出るのを防ぐことができる。
【００４５】
また、上記給水タンク１０４の接続口１２２が筒部１３２内に入ったとき、比較的剛性のあるランド部１３５によって、接続口１２２の外周面に対する接続口用パッキン１２４の位置を定めることができる。また、基部１３３の内周面には、第１内側リップ１３６、第２内側リップ１３７、第１環状溝１３８および第２環状溝１３９を設けているので、第１内側リップ１３６および第２内側リップ１３７の可撓性を高くすることができる。したがって、バリや段差が環状溝１２３の底面にあっても、第１内側リップ１３６および第２内側リップ１３７を環状溝１２３の底面の全周にわたって密接させることができる。その結果、接続口用パッキン１２４の内周面と接続口１２２の外周面との間から水が漏れ出るのを非常に効果的に防ぐことができる。
【００４６】
また、上記第１，第２内側リップ１３６，１３７がランド部１３５側に撓めるぐらいに薄くなっているので、環状溝１２３の底面におけるバリや段差がシール性に及ぼす悪影響を小さくすることができる。
【００４７】
また、上記接続口用パッキン１２４の内周面と接続口１２２の外周面との間から水が漏れ出るのを防ぐことができるので、ケーシング１０１内のマグネトロンなどが水で壊れるのを防ぐことできる。
【００４８】
一方、上記ケーシング１０１から給水タンク１０４を取り外すと、コイルスプリング１３１の付勢力によって、給水タンク本体１１９に対して開閉弁１２８が接続口１２２側に移動する。これにより、開閉弁用パッキン１３０が貫通孔１２７の周縁部に密着して、給水タンク本体１１９内の水が、上記隙間、貫通孔１２７および接続口１２２内の空間を通って筒部１３２内に流れ出ないようになる。
【００４９】
上記実施形態では、基部１３３の内周面の軸方向の一方の端部に第１内側リップ１３６を設けると共に、基部１３３の内周面の軸方向の他方の端部に第２内側リップ１３７を設けていたが、第１内側リップ１３６および第２内側リップ１３７の一方を設けないようにしてもよい。
【００５０】
上記実施形態では、外側リップ１３４およびランド部１３５は、略台形状の断面形状を有するようにしていたが、例えば略正方形状または略長方形状の断面形状を有するようにしてもよい。
【００５１】
上記実施形態では、第１内側リップ１３６および第２内側リップ１３７は、略三角形状の断面形状を有するようにしていたが、例えば略台形状の断面形状を有するようにしてもよい。
【００５２】
上記実施形態では、加熱調理器に、過熱水蒸気を生成する機能を有する水蒸気発生装置１１５を搭載していたが、加熱調理器に、水蒸気を発生させるだけで過熱水蒸気を生成する機能を有さない水蒸気発生装置を搭載してもよい。
【００５３】
本発明の給水は、例えば、過熱水蒸気を使用するオーブンレンジのみならず、過熱水蒸気を使用するオーブンまたはＩＨクッキングヒータ等の加熱調理器にも適用できるし、例えば加湿器などにも適用できる。
【符号の説明】
【００５４】
１０１…ケーシング
１０２…加熱庫
１０４…給水タンク
１１５…水蒸気発生装置
１１９…給水タンク本体
１２０…化粧板
１２１…蓋
１２２…接続口
１２４…接続口用パッキン
１３２…筒部
１３３…基部
１３４…外側リップ
１３５…ランド部
１３６…第１内側リップ
１３７…第２内側リップ
１３８…第１環状溝
１３９…第２環状溝
【図１】
0005871648.tif 000002
【図２】
0005871648.tif 000003
【図３】
0005871648.tif 000004
【図４】
0005871648.tif 000005
【図５】
0005871648.tif 000006
【図６】
0005871648.tif 000007
【図７】
0005871648.tif 000008
【図８】
0005871648.tif 000009